(57)【要約】【課題】  前半部と後半部のつなぎ目近傍の読取レベル差を補正するための補正値を変更可能とする画像読取装置を提供する。【解決手段】  フォトダイオードに蓄積された電荷を転送するシフトレジスタが中央部から前半部と後半部に分割して出力される構造であり、前半部と後半部の各出力方向毎に偶数画素と奇数画素のシフトレジスタを有するＣＣＤイメージセンサからの出力を前半部と後半部の各出力方向毎に信号処理を施してデジタル変換し、デジタル変換された出力の前半部の偶数画素と奇数画素を合成したデータ又は後半部の偶数画素と奇数画素を合成したデータに対してγ補正を行う。【選択図】  図９
2005348351.tif 000002
【特許請求の範囲】
【請求項１】
フォトダイオードに蓄積された電荷を転送するシフトレジスタが中央部から前半部と、後半部とに分割して出力される構造であり、
前記前半部と前記後半部の各出力方向毎に複数のシフトレジスタを有するＣＣＤイメージセンサーと、該ＣＣＤイメージセンサーからの出力を、前記前半部と前記後半部の各出力方向毎に信号処理を施し、デジタル変換する出力変換手段と、
前記デジタル変換された出力を前記前半部と前記後半部の各出力方向毎に合成する出力合成手段と、
前記前半部または前記後半部の各出力方向毎に直線性の補正を行う出力補正手段と、
補正に用いるデータとして前記前半部と前記後半部の各出力方向毎に合成されたデータの前記前半部と前記後半部のつなぎ目近傍の平均値を、前記前半部と前記後半部の各出力方向毎に演算する平均値演算手段と、
前記演算手段による演算結果から前記前半部または前記後半部のいずれかに対する直線性補正量を演算する直線性補正量演算手段と、
前記演算手段により演算された補正値を記憶する記憶手段と、を有する画像読取装置であって、
前記記憶した補正値を変更する補正値変更手段を有することを特徴とする画像読取装置。
【請求項２】
前記補正値変更手段により変更される補正値は、所定の値もしくは予め記憶された複数の補正パターンの内の１つであることを特徴とする請求項１記載の画像読取装置。
【請求項３】
前記補正値の変更はユーザーインターフェース部より行うことが可能であることを特徴とする請求項１又は２記載の画像読取装置。
【請求項４】
前記補正に使用するデータは、原稿読取部に載置された少なくとも１つ以上の階調をもったグレースケールチャートを読み取った画像データであることを特徴とする請求項１記載の画像読取装置。
【請求項５】
前記補正に使用するデータは、原稿と同様に読取が可能であるように画像読取装置に設置された少なくとも１つ以上の階調をもったグレースケールチャートを読み取った画像データであることを特徴とする請求項１記載の画像読取装置。
【請求項６】
少なくとも１つ以上の階調の中間調濃度読み取りデータ間の濃度を読み取った場合の出力に対応した補正データを補間演算する補間演算手段をさらに有することを特徴とする請求項２又は３記載の画像読取装置。
【請求項７】
前記出力補正手段は、ルックアップテーブルからなる回路を含むことを特徴とする請求項１〜６のいずれか１項に記載の画像読取装置。
【請求項８】
前記画像読取装置の設定を行う設定操作部での前記補正値の演算動作を実行するよう指示する実行指示手段を有し、
該実行指示手段からの実行指示により、グレースケールチャートデータの読取及び補正値の演算、及び補正値の保存を行う補正値演算／保存手段をさらに有することを特徴とする請求項１〜７のいずれか１項に記載の画像読取装置。
【請求項９】
請求項１〜８のいずれか１項に記載の画像読取装置を有することを特徴とする画像形成装置。
【発明の詳細な説明】
【技術分野】
【０００１】
本発明は、デジタル複写機、スキャナ、ファクシミリ等に用いられる画像読取装置及び画像形成装置に関する。
【背景技術】
【０００２】
従来、原稿等の画像情報を副走査方向にライン走査し、その画像情報を読取手段としての光電変換手段（ＣＣＤ）のセンサ面上に結像させ、該光電変換手段から得られる出力信号を利用して、該原稿等の画像情報を読み取るようにした画像読取装置が種々と提案されている。
【０００３】
図１は画像読取装置の一例を示す要部概略図である。
図１の構成において、コンタクトガラス１上に原稿５が搭載された場合に、ランプ７を点灯し、第１キャリッジ９および第２キャリッジ１２をスキャナモータにより右方向に移動走査して原稿５を読み取る。
【０００４】
この時、原稿面照明用光源７により照明された原稿載置ガラス部１上の原稿５の原稿画像情報を、走査用の第１、第２、第３のミラー８，１０，１１を介して結像レンズ１３により光電変換手段（ＣＣＤ）１４のセンサ面上に結像させ、該原稿５の画像情報を読み取り、光電変換手段（ＣＣＤ）１４の出力信号をＡＤ変換機によりデジタルデータに変換する事で、原稿画像データをデジタル的に読み取っている。
【０００５】
デジタルデータに変換された原稿画像情報は、例えば出力装置に送られプリント出力として画像情報の出力が行なわれる場合や、あるいは記憶装置に送られ入力画像情報の記憶が行なわれる場合等、種々あり、各々の画像読取装置の情報として使用されている。
同図においてキャリッジが移動走査して原稿画像を読み取る場合、原稿５の画像情報を副走査方向に走査する方法としては、例えば走査用の第１、第２キャリッジ９，１２を図中矢印方向（副走査方向）に一定の関係を維持しつつ移動させて行っている。このときの走査用の各キャリッジの走査速度は、例えば第１キャリッジ９の速度をＶとしたとき、第２キャリッジ１２の走査速度はＶ／２となるように設計されている。
【０００６】
このように原稿を走査して画像データを読み取る場合、原稿の読み取りに先立って図１に示すシェーディング補正用基準白板３の読み取りデータを走査して、シェーディング補正用データを生成しメモリに記憶しておき、そのシェーディング補正用データで原稿５の画像データ読み取りながら正規化することで、該装置における光量分布ムラ、ＣＣＤの感度ムラ、そして出力変動等を補正し、原稿の画像情報を精度よく読み取っている。
【０００７】
また、近年のスキャナの高速化に伴い、より高速で動作するＣＣＤの要求も高まっている。
その為、従来は処理速度を低減しながら読取速度を上げる為、ＣＣＤシフトレジスタを偶数画素と奇数画素に分けて出力するタイプのＣＣＤイメージセンサが一般的に使用されていた。
【０００８】
しかし、更なる読取速度の高速化を実現する為に、ＣＣＤのシフトレジスタを４系統以上の複数のレジスタに分けて出力するＣＣＤイメージセンサも用いられるようになってきている。
【０００９】
４系統のＣＣＤシフトレジスタの構成としては、同一方向に４系統出力するタイプのものと、前半／後半逆方向にそれぞれ２系統出力するタイプ（図２参照）のものなどがある。
【００１０】
しかし、複数のＣＣＤシフトレジスタを用いているイメージセンサにおいては、ＣＣＤ形成時のプロセス条件のばらつきによりシフトレジスタ最終段の電圧ポテンシャルがばらつく事により、アナログ出力遅延時間のばらつきを生じる場合がある。
【００１１】
この様なアナログ出力遅延時間のばらつきは、低照度時のアナログ出力の直線性に影響を与え、複数のＣＣＤシフトレジスタ出力間の直線性の差異となってしまう（図３参照）。図３に示す取り残し分については、図４にＣＣＤ出力での波形イメージを示す。
【００１２】
上記ＣＣＤシフトレジスタ出力間の直線性の差異はシェーディングで補正することが出来ないものである為（図５参照）、特に前半部と後半部逆方向に出力するタイプのＣＣＤにおいては、中間濃度から高濃度部での前半部／後半部のつなぎ目部分のレベル差が画像上問題となる場合が生じる。
【００１３】
このようなＣＣＤシフトレジスタ間の直線性の差異を解決する為に、従来２系統（偶数／奇数画素出力タイプ）のＣＣＤシフトレジスタ毎の出力に対して、γ補正を行う方法が提示されている。
【００１４】
また、上記４系統出力タイプのＣＣＤに関しては、同様にＣＣＤシフトレジスタ毎の出力に対してγ補正を行う方法が提示されている（例えば、特許文献１、２参照）。また、４チャンネルＣＣＤラインセンサを用いた装置として、前半部と後半部のつなぎ目において左右濃度の発生を抑止し、安定した画像を再現するものがある（例えば、特許文献３参照）。
【００１５】
しかしながら、特許文献１に開示されている方法によれば、４系統出力データの前半部と後半部の奇数画素をアナログ合成し、同様に前半部と後半部の偶数画素をアナログ合成している為、前半部と後半部のデータにクロストークが生じ、異常画像を生じる可能性がある。
【００１６】
また、特許文献１に開示されている方法によれば、ＣＣＤの各シフトレジスタ毎にＬＵＴを設けている為、メモリの増加によるコストの増大を招くことになってしまう。また、２つの基準となる読取レベルから補間して補正値を演算している為、場合によっては補正の精度が不充分となる場合が生じる。
【特許文献１】特開２０００−１８８６８６号公報
【特許文献２】特開２００２−２１８１８６号公報
【特許文献３】特開２００２−１５８８３７号公報
【発明の開示】
【発明が解決しようとする課題】
【００１７】
上記従来技術の不具合を鑑みて、前半部の偶数画素と奇数画素を合成したデータと後半部の偶数画素と奇数画素を合成したデータの前半部と後半部のつなぎ目近傍のデータの平均レベルを検出して前半部の偶数画素と奇数画素を合成したデータ、または後半部の偶数画素と奇数画素を合成したデータに対してγ補正を行うことでつなぎ目近傍の画像濃度差を補正し異常画像を防ぎ、γ補正の為のルックアップテーブルを必要最小限に抑えることにより、メモリの低減によるコストの低減及びデータの読み出し時間にかかる時間の低減を行うことが考えられるが、補正用のグレースケールチャートをスキャナ内部にもてない構成であると、不測の事態により補正値を記憶したメモリの内容が消去されてしまった場合には、補正を行うことができなくなってしまい、画像に不具合を生じる場合がある。
よって、このような場合において暫定的な処置として仮の補正値を入力することにより不具合の改善を行うことが望まれる。
【００１８】
本発明は、上記事情に鑑みてなされたものであり、フォトダイオードに蓄積された電荷を転送するシフトレジスタが中央部から前半部と後半部に分割して出力される構造であり、前半部と後半部の各出力方向毎に偶数画素と奇数画素のシフトレジスタを有するＣＣＤイメージセンサからの出力を前半部と後半部の各出力方向毎に信号処理を施してデジタル変換し、デジタル変換された出力の前半部の偶数画素と奇数画素を合成したデータ又は後半部の偶数画素と奇数画素を合成したデータに対して、γ補正を行うことで前半部と後半部のつなぎ目近傍の読取レベル差を補正するための補正値を変更可能とする画像読取装置を提供することを目的とする。
【００１９】
また、本発明は、上記画像読取装置において、変更する補正値は任意の値もしくは予め記憶された複数の補正パターンの内の１つを選択可能とし、補正値調整用のチャートがない環境においても暫定的な調整を可能とする画像読取装置を提供することを目的とする。
【００２０】
また、本発明は、上記画像読取装置において、補正値の変更を操作パネルｅｔｃのユーザーインターフェース部から行うことで、容易な補正値の変更を可能とする画像読取装置を提供することを目的とする。
【００２１】
また、本発明は、上記画像読取装置において、原稿読取部に載置されたグレースケールチャートを読み込んで補正値を演算することで、画像読取装置内にグレースケールチャートを組み込んだ場合に対するコストの低減を行う画像読取装置を提供することを目的とする。
【００２２】
また、本発明は、上記画像読取装置において、画像読取装置内にグレースケールチャートを組み込ことで、原稿としてのグレースケールチャートが無い場合にも、補正演算を可能とする画像読取装置を提供することを目的とする。
【００２３】
また、本発明は、上記画像読取装置において、限られた階調のグレースケールチャート読取データから、必要な階調の補正データを得る画像読取装置を提供することを目的とする。
【００２４】
また、本発明は、上記画像読取装置において、ルックアップテーブルによって入力階調に対応したデータ変換を行う画像読取装置を提供することを目的とする。
【００２５】
また、本発明は、上記画像読取装置において、ユーザーインターフェース部を介して補正値の演算の実行及び補正値の保存を行うことを目的とする。
【００２６】
上記画像読取装置を、デジタル複写機、デジタル複合機、スキャナ、ＦＡＸ等の画像形成装置に用いることを目的とする。
【課題を解決するための手段】
【００２７】
かかる目的を達成するために、請求項１記載の発明は、フォトダイオードに蓄積された電荷を転送するシフトレジスタが中央部から前半部と、後半部とに分割して出力される構造であり、前半部と後半部の各出力方向毎に複数のシフトレジスタを有するＣＣＤイメージセンサと、ＣＣＤイメージセンサからの出力を、前半部と後半部の各出力方向毎に信号処理を施し、デジタル変換する出力変換手段と、デジタル変換された出力を前半部と後半部の各出力方向毎に合成する出力合成手段と、前半部または後半部の各出力方向毎に直線性の補正を行う出力補正手段と、補正に用いるデータとして前半部と後半部の各出力方向毎に合成されたデータの前半部と後半部のつなぎ目近傍の平均値を、前半部と後半部の各出力方向毎に演算する平均値演算手段と、演算手段による演算結果から前半部または後半部のいずれかに対する直線性補正量を演算する直線性補正量演算手段と、演算手段により演算された補正値を記憶する記憶手段と、を有する画像読取装置であって、記憶した補正値を変更する補正値変更手段を有することを特徴とする。
【００２８】
請求項２記載の発明は、請求項１記載の発明において、補正値変更手段により変更される補正値は、所定の値もしくは予め記憶された複数の補正パターンの内の１つであることを特徴とする。
【００２９】
請求項３記載の発明は、請求項１又は２記載の発明において、補正値の変更はユーザーインターフェース部より行うことが可能であることを特徴とする。
【００３０】
請求項４記載の発明は、請求項１記載の発明において、補正に使用するデータは、原稿読取部に載置された少なくとも１つ以上の階調をもったグレースケールチャートを読み取った画像データであることを特徴とする。
【００３１】
請求項５記載の発明は、請求項１記載の発明において、補正に使用するデータは、原稿と同様に読取が可能であるように画像読取装置に設置された少なくとも１つ以上の階調をもったグレースケールチャートを読み取った画像データであることを特徴とする。
【００３２】
請求項６記載の発明は、請求項２又は３記載の発明において、少なくとも１つ以上の階調の中間調濃度読み取りデータ間の濃度を読み取った場合の出力に対応した補正データを補間演算する補間演算手段をさらに有することを特徴とする。
【００３３】
請求項７記載の発明は、請求項１〜６のいずれか１項に記載の発明において、出力補正手段は、ルックアップテーブルからなる回路を含むことを特徴とする。
【００３４】
請求項８記載の発明は、請求項１〜７のいずれか１項に記載の発明において、画像読取装置の設定を行う設定操作部での補正値の演算動作を実行するよう指示する実行指示手段を有し、実行指示手段からの実行指示により、グレースケールチャートデータの読取及び補正値の演算、及び補正値の保存を行う補正値演算／保存手段をさらに有することを特徴とする。
【００３５】
請求項９記載の発明は、請求項１〜８のいずれか１項に記載の画像読取装置を有することを特徴とする。
【発明の効果】
【００３６】
本発明によれば、フォトダイオードに蓄積された電荷を転送するシフトレジスタが中央部から前半部と後半部に分割して出力される構造であり、前半部と後半部の各出力方向毎に偶数画素と奇数画素のシフトレジスタを有するＣＣＤイメージセンサからの出力を前半部と後半部の各出力方向毎に信号処理を施してデジタル変換し、デジタル変換された出力の前半部の偶数画素と奇数画素を合成したデータ又は後半部の偶数画素と奇数画素を合成したデータに対して、γ補正を行い前半部と後半部のつなぎ目近傍の読取レベル差を補正した後に補正値が消失してしまった場合に暫定的に補正値を設定することが可能となる。
【発明を実施するための最良の形態】
【００３７】
以下、本発明を実施するための最良の形態について添付図面を参照して詳細に説明する。
【実施例】
【００３８】
本発明の実施形態に係る画像読取装置の概略構成は図１と同等の構成である。
原稿を搭載するコンタクトガラス１、シェーディングデータ生成用の基準白板３、原稿を照射するランプ７及び第１ミラー８が搭載される第１キャリッジ９、第２ミラー１０・第３ミラー１１が搭載される第２キャリッジ１２、ＣＣＤイメージセンサ上に縮小結像させるレンズユニット１３、ＣＣＤイメージセンサを搭載した信号処理基板１４、また図示してはいないが第１・第２キャリッジを駆動するスキャナ駆動モータ、ホームポジションセンサ、原稿検知センサ等から構成される。
【００３９】
この様な画像読取装置において、読取速度の高速化を実現する為に、画像読取回路基板１４のＣＣＤイメージセンサには４系統（前半２系統：偶数画素及び奇数画素／後半２系統：偶数画素及び奇数画素）のアナログシフトレジスタを有するものが用いてある（図２参照）。
【００４０】
上記構成において、コンタクトガラス１上に原稿５が搭載された場合に、ランプ７を点灯し、第１キャリッジ９および第２キャリッジ１２をスキャナモータにより右方向に移動走査して原稿５を読み取る読み取り方式と、ランプ７を点灯し、第１キャリッジ９および第２キャリッジ１２は停止した状態のまま、原稿搬送装置４によって搬送される原稿６を読み取る読み取り方式が選択可能である。キャリッジを走査して、原稿を読み取る場合には、原稿の読み取りに先立って基準白板３のデータを取得しシェーディング補正データを生成する。
【００４１】
シェーディング補正データ生成後、原稿読み取り領域のスキャンが行われ読み取り動作と平行してシェーディング補正処理が実行される。
【００４２】
また、キャリッジは停止した状態のまま、原稿６を搬送して原稿画像データを読み取るシートスルー読み取りの場合には、原稿６の読み取りに先立ってまず、キャリッジを基準白板３の下に移動させてシェーディング補正データを生成しシートスルー読み取り位置に復帰してから原稿の搬送を開始して原稿読み取り動作を開始する。
【００４３】
図９、図１０は本発明の実施形態に係る画像読取回路基板及び画像処理部の構成を示す。
画像読取回路基板は、原稿からの反射光を光電変換するＣＣＤ１０１、ＣＣＤの出力アナログ信号の増幅ｅｔｃを行いＡＤ変換する信号処理部１０３、ＣＣＤの駆動タイミングｅｔｃの生成を行うゲートアレー１０４、ＣＣＤ駆動ドライバ１０２等から構成されている。
【００４４】
上記信号処理部では黒オフセット調整、ゲイン調整等の処理が行われ、読み取った画像データの前半部の偶数画素と奇数画素を合成したデータと後半部の偶数画素と奇数画素を合成したデータを生成し、後段の画像処理回路基板へ伝送される。
【００４５】
画像処理回路基板では伝送された画像データにシェーディング補正が行われた後、前半部の合成データ又は後半部の合成データのいずれかに対してスキャナγ補正が実行される。
スキャナγ補正を前半部又は後半部のいずれかに対して行うことで、前半及び後半の読取レベルの差が補正される。
【００４６】
前半部又は後半部の偶数画素と奇数画素を合成したデータに対して補正を行うため、必要最低限の補正手段（ＬＵＴ）にて、最も効果的な補正を行うことが可能となる。
【００４７】
スキャナγ補正を行った後、前半部（偶数画素と奇数画素の合成データ）と後半部（偶数画素と奇数画素の合成データ）に分離しているデータを偶数画素と奇数画素にデータフォーマットに変換する処理が行われ、各種画像処理が実行される。
【００４８】
通常画像読取装置にはオペレータが操作を行う為の操作パネル２００が設けられており、画像読取を行う為の設定等を行える。通常の画像読取は、上記のようなスキャナ画像データの処理に加えてスキャナγ補正動作を行うが、スキャナγ補正値の演算を行うモードが操作パネルの設定により選択されるとグレースケールチャートの読取が実行され、スキャナγ補正値の演算及び補正値の保存が行われる
【００４９】
調整方法の一例として、制御フローを図１１、図１２に示す。
操作部パネルの設定にて、スキャナγ補正値の演算モードが選択されると（Ｓ１、Ｓ１１）、調整用のチャート（グレースケールチャート）がコンタクトガラス上に載置されたかどうかの確認メッセージが表示される（Ｓ２）。
【００５０】
調整用チャート（グレースケールチャート）の載置を確認後、調整の実行スタートを選択すると（Ｓ３、Ｓ１２／ＹＥＳ）、スキャン動作を実行し（Ｓ４、Ｓ１３）、画像処理回路基板にて読み取った画像（グレースケールチャート）の前半部と後半部のつなぎ目部分のレベルを検出する（Ｓ５、Ｓ１４）。
【００５１】
検出するつなぎ目近傍のレベルはグレースケールチャートの各階調毎（ｅｘ、１０〜２０階調）に、前半部及び後半部のＥＯ（偶数／奇数）合成されたデータの、例えば１００×１００画素の平均レベルを演算して求める。この時、前半部又は後半部の基準となるほうのスキャナγ変換データはリニアであるとして補正を行う。つまり、前半部又は後半部の基準としないほうの画像データに対してのみ補正する値を演算して求めるものである。
【００５２】
各階調の前半部及び後半部のグレースケールチャート（２０階調）の読取データが各々、ＦＤ（１）、ＦＤ（２）、…、ＦＤ（１９）、ＦＤ（２０）、ＢＤ（１）、ＢＤ（２）、…、ＢＤ（１９）、ＢＤ（２０）であった場合、前半部を基準データとした場合、入力データＢＤ（ｎ）に対して出力データＦＤ（ｎ）となるγ補正テーブルを生成し、後半部の偶数画素と奇数画素が合成されたデータに対するγ補正を行う（Ｓ６、Ｓ１５）。補正値はメモリに保存される（Ｓ７、Ｓ１６）。
【００５３】
検出した原稿反射率に対応した、読取レベルの例を図６及び図７に示す。また、その結果から得られるγ補正特性を図８に示す。この時各階調間の読取データに相当する出力データに関しては、読み取った各階調のデータから補間して演算を行う。
【００５４】
補間演算に関しては、読み取ったデータ間の直線補間や、最小２乗法による補間などがあるが補間の方法をとくに指定するものではない。
【００５５】
また、画像読取装置内にグレースケールチャートが設置されている場合には、上記動作フローに対して、グレースケールチャートを原稿読取部に載置する手順を省略することが可能となる。
【００５６】
さらには、グレースケールチャートを読み取った場合と同様の処理を行う為に、ランプの光量を可変してもよいし、ＣＣＤの電子シャター機能により光量の蓄積時間を可変する事で対応しても良い。
【００５７】
しかしながら、このような調整を行った後に、調整データが不測の事態によって消失してしまった場合に、ユーザー先などで調整用のチャートが用意できないときに、暫定的に調整値を入力することで不具合の解消を行う。
【００５８】
設定方法の一例として、制御フローを図１３に示す。
前記操作パネルにおいて、スキャナγ調整モードの設定により調整を行った結果を表示する表示モードを有する（Ｓ２１）。
【００５９】
この表示モードにて、測定した結果の補正値を直接上書きして入力するモードと、予めＲＯＭに記憶された複数の補正値パターンの中から任意のパターンを選択するモードとが選択可能である（Ｓ２２）。
【００６０】
Ｓ２７の複数の補正パターンは、図８に示すような代表的な補正パターンに準じて補正の強度を可変したパターンである。操作部から設定された任意の値（Ｓ２４）もしくは選択された補正パターン（Ｓ２７）に応じて、γ補正テーブル演算を行い（Ｓ２５）、設定値を補正値として保存を行う（Ｓ２６）。以後この補正値に基づいて、画像への補正を実行する。
【００６１】
また、この補正により、従来ＣＣＤの不良として処理されていたものを出来る限り使用可能とし環境に配慮することが可能となる。また、この画像読取装置は、デジタル複写機、デジタル複合機、ＦＡＸ、スキャナなどに適用することが可能である。
【００６２】
以上、本発明の実施例の画像読取装置によれば、フォトダイオードに蓄積された電荷を転送するシフトレジスタが中央部から前半部と後半部に分割して出力される構造であり、前半部と後半部の各出力方向毎に偶数画素と奇数画素のシフトレジスタを有するＣＣＤイメージセンサからの出力を前半部と後半部の各出力方向毎に信号処理を施してデジタル変換し、デジタル変換された出力の前半部の偶数画素と奇数画素を合成したデータ又は後半部の偶数画素と奇数画素を合成したデータに対して、γ補正を行い前半部と後半部のつなぎ目近傍の読取レベル差を補正した後に補正値が消失してしまった場合に暫定的に補正値を設定することが可能となる。
【００６３】
また、本発明の実施例の画像読取装置によれば、暫定的に設定する補正値は任意の値もしくは予めＲＯＭに記憶しておいた値を用いることで画像の不具合をできる限り低減することが可能となる。
【００６４】
また、本発明の実施例の画像読取装置によれば、操作部から設定を行うことで容易な設定値の変更が可能となる。
【００６５】
また、本発明の実施例の画像読取装置によれば、原稿読取部に載置されたグレースケールチャートを読み込んで補正値を演算することで、画像読取装置内にグレースケールチャートを組み込んだ場合に対してコストの低減が可能となる。
【００６６】
また、本発明の実施例の画像読取装置によれば、画像読取装置内にグレースケールチャートを組み込ことで、原稿としてのグレースケールチャートが無い場合にも、補正演算行うことが可能となる。
【００６７】
また、本発明の実施例の画像読取装置によれば、限られた階調のグレースケールチャート読取データから、補間演算を行うことで必要な階調の補正データを得ることが可能となる。
【００６８】
また、本発明の実施例の画像読取装置によれば、ルックアップテーブルを用いることで容易にγ変換が実現可能となる。
【００６９】
また、本発明の実施例の画像読取装置によれば、ユーザーインターフェース部を介して補正を実行することで、容易に補正置演算を実行することが可能となる。
【００７０】
また、本実施例の画像読取装置を、デジタル複写機、デジタル複合機、スキャナ、ＦＡＸ等の画像形成装置に用いることで画像の不具合を防止することが可能となる。
【００７１】
以上、本発明の実施例について説明したが、上記実施例に限定されるものではなく、その要旨を逸脱しない範囲において種々の変形が可能である。
【産業上の利用可能性】
【００７２】
本発明は、マルチチャンネルのシフトレジスタを有するＣＣＤイメージセンサを用いた画像読取装置における、シフトレジスタ毎のアナログ出力の直線性の検出及びその補正に適用できる。
【図面の簡単な説明】
【００７３】
【図１】本発明の実施例である画像読取装置を示す要部概略図である。
【図２】４系統のＣＣＤシフトレジスタを有する画像読取装置の構成を示す要部概略図である。
【図３】従来技術におけるアナログ出力遅延時間のばらつきを説明する図である。
【図４】ＣＣＤ出力での波形イメージを示す図である。
【図５】従来技術におけるＣＣＤシフトレジスタ出力間の直線性の差異を示すグラフである。
【図６】原稿反射率に対応した読取レベルの一例を示す表である。
【図７】前半部／後半部つなぎ目近傍の平均データを示すグラフである。
【図８】γ補正データを示すグラフである。
【図９】本発明の実施例に係る画像読取回路基板及び画像処理部の構成の一例を示すブロック図である。
【図１０】本発明の実施例に係る画像読取回路基板及び画像処理部の構成の一例を示すブロック図である。
【図１１】本発明の実施例に係る調整方法の一例を示すフロー図である。
【図１２】本発明の実施例に係る調整方法の一例を示すフロー図である。
【図１３】本発明の実施例に係る設定方法の一例を示すフロー図である。
【符号の説明】
【００７４】
１    コンタクトガラス
３    基準白板
４    原稿搬送装置
５    原稿
６    原稿
７    ランプ
８    第１ミラー
９    第１キャリッジ
１０    第２ミラー
１１    第３ミラー
１２    第２キャリッジ
１３    レンズユニット
１４    信号処理基板
１０１    ＣＣＤ
１０２    ＣＣＤ駆動ドライバ
１０３    信号処理部
１０４    ゲートアレー
１０５    シェーディング補正部
１０６    境界平均レベル検出部
１０７    スキャナγ補正部
１０８    ＦＢ／ＥＯ変換部
１０９    画像処理部
１１０    ＣＰＵ
１１１    メモリ
２００    操作パネル
２０１    モータドライバ
２０２    スキャナモータ
【図１】
2005348351.tif 000003
【図２】
2005348351.tif 000004
【図３】
2005348351.tif 000005
【図４】
2005348351.tif 000006
【図５】
2005348351.tif 000007
【図６】
2005348351.tif 000008
【図７】
2005348351.tif 000009
【図８】
2005348351.tif 000010
【図９】
2005348351.tif 000011
【図１０】
2005348351.tif 000012
【図１１】
2005348351.tif 000013
【図１２】
2005348351.tif 000014
【図１３】
2005348351.tif 000015